(57)【要約】【課題】中和塩を安定して連続的に系外に抜きだすと共に、吸収液の損失を低減することが可能なＣＯ２化学吸収システムの中和塩抜き出し装置を提供する。【解決手段】吸収液にアルカリ剤を添加して中和し吸収液を賦活させるリクレーマ１Ａの下部に、中和塩を貯留するホッパ８と、ホッパ入口および出口の仕切り弁９、１０と、ホッパ８内の中和塩量の計測装置を備えた中和塩抜き出し装置４０を設置する。ホッパ８内にリクレーマで発生した中和塩７を貯留させ、貯留量が高位で中和塩の受け入れを停止してホッパ８から中和塩を排出する。貯留量が低位でホッパ８からの中和塩の排出を停止して再びホッパ８へ中和塩を受け入れる。この装置構成と運用により、リクレーマで発生する中和塩を連続して、安定に抜き出す。また、中和塩の排出に伴って吸収液が廃棄されないようシールした状態を保って吸収液の損失を抑制する。【選択図】図２
2014012242.tif 000002
【特許請求の範囲】
【請求項１】
燃焼排ガスに含まれるＣＯ２を吸収液によりガス中から除去するＣＯ２化学吸収システムの中和塩抜き出し装置において、
ＣＯ２化学吸収システムの再生塔から供給された酸性ガスにより劣化した吸収液にアルカリ剤を添加して中和し吸収液を賦活させる蒸発缶を有するリクレーマを備え、
前記リクレーマの蒸発缶と接続され、この蒸発缶内の吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、
前記ホッパ内に貯留した中和塩の量を計測する計測装置を備え、
前記計測装置で検出した前記ホッパ内の中和塩量の計測値に基づいて前記ホッパ入口弁及びホッパ出口弁の開閉を操作する制御装置を備え、
前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、
前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行う、ことを特徴とするＣＯ２化学吸収システムの中和塩抜き出し装置。
【請求項２】
請求項１に記載のＣＯ２化学吸収システムの中和塩抜き出し装置において、
ホッパ内に貯留した中和塩の量を計測する装置として、ホッパの重量を計測する計測装置を備えたことを特徴とする、ＣＯ２化学吸収システムの中和塩抜き出し装置。
【請求項３】
請求項１に記載のＣＯ２化学吸収システムの中和塩抜き出し装置において、
ホッパ内に貯留した中和塩の量を計測する装置として、ホッパ側面に対面して透明窓を設置し、透明窓を通過する光をそれぞれ発する高さの異なる位置に配置された複数の発光器を備え、前記複数の発光器から発光して透明窓を通過した光をそれぞれ受光する高さの異なる位置に配置された複数の受光器を備える光学式の計測装置を備えた、ことを特徴とする、ＣＯ２化学吸収システムの中和塩抜き出し装置。
【請求項４】
請求項２に記載のＣＯ２化学吸収システムの中和塩抜き出し装置において、
前記上部連結管及び下部連結管が、べローズ型の連結管、あるいはフレキシブル構造の連結管であることを特徴とする、ＣＯ２化学吸収システムの中和塩抜き出し装置。
【請求項５】
請求項１に記載のＣＯ２化学吸収システムの中和塩抜き出し装置において、
前記ホッパ出口弁の下部に、前記ホッパから排出された中和塩を収容する廃棄塩タンクを備え、前記廃棄塩タンクに気体ベント系統が配設されている、ことを特徴とするＣＯ２化学吸収システムの中和塩抜き出し装置。
【請求項６】
請求項５項に記載のＣＯ２化学吸収システムの中和塩抜き出し装置において、
前記廃棄塩タンクは取り外し可能、或いは交換可能に構成されている、ことを特徴とするＣＯ２化学吸収システムの中和塩抜き出し装置。
【請求項７】
請求項１に記載のＣＯ２化学吸収システムの中和塩抜き出し装置において、
前記ホッパに該ホッパからガスを系外に抜き出すガスベント系統が配設され、
前記ホッパに外部からガスを供給して加圧する加圧ガス系統が配設されている、ことを特徴とするＣＯ２化学吸収システムの中和塩抜き出し装置。
【請求項８】
請求項１に記載のＣＯ２化学吸収システムの中和塩抜き出し装置において、
前記ホッパにホッパを冷却する冷却ジャケット、あるいは冷却管を備えたことを特徴とする、ＣＯ２化学吸収システムの中和塩抜き出し装置。
【請求項９】
燃焼排ガスに含まれるＣＯ２を吸収液によりガス中から除去するＣＯ２化学吸収システムの中和塩抜き出し装置において、
ＣＯ２化学吸収システムの再生塔内の下部の吸収液を貯留するプール部に、酸性ガスにより劣化した吸収液にアルカリ剤を添加して中和しこの吸収液を賦活させるアルカリ剤供給系統を配設し、
前記再生塔内の下部と接続され、この再生塔内のプール部に貯留された吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、
前記ホッパ内に貯留した中和塩の量を計測する計測装置を備え、
前記計測装置で検出した前記ホッパ内の中和塩量の計測値に基づいて前記ホッパ入口弁及びホッパ出口弁の開閉を操作する制御装置を備え、
前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、
前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行う、ことを特徴とするＣＯ２化学吸収システムの中和塩抜き出し装置。
【請求項１０】
請求項９に記載のＣＯ２化学吸収システムの中和塩抜き出し装置において、
ホッパ内に貯留した中和塩の量を計測する装置として、ホッパの重量を計測する計測装置を備えたことを特徴とする、ＣＯ２化学吸収システムの中和塩抜き出し装置。
【請求項１１】
請求項９に記載のＣＯ２化学吸収システムの中和塩抜き出し装置において、
ホッパ内に貯留した中和塩の量を計測する装置として、ホッパ側面に対面して透明窓を設置し、透明窓を通過する光をそれぞれ発する高さの異なる位置に配置された複数の発光器を備え、前記複数の発光器から発光して透明窓を通過した光をそれぞれ受光する高さの異なる位置に配置された複数の受光器を備える光学式の計測装置を備えた、ことを特徴とする、ＣＯ２化学吸収システムの中和塩抜き出し装置。
【請求項１２】
燃焼排ガスに含まれるＣＯ２を吸収液によりガス中から除去するＣＯ２化学吸収システムの中和塩抜き出し装置において、
ＣＯ２化学吸収システムの再生塔を加熱する蒸気を発生するリボイラに、酸性ガスにより劣化した吸収液にアルカリ剤を添加して中和しこの吸収液を賦活させるアルカリ剤供給系統を配設し、
前記リボイラと接続され、このリボイラに貯留された吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、
前記ホッパ内に貯留した中和塩の量を計測する計測装置を備え、
前記計測装置で検出した前記ホッパ内の中和塩量の計測値に基づいて前記ホッパ入口弁及びホッパ出口弁の開閉を操作する制御装置を備え、
前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、
前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行う、ことを特徴とするＣＯ２化学吸収システムの中和塩抜き出し装置。
【請求項１３】
請求項１２に記載のＣＯ２化学吸収システムの中和塩抜き出し装置において、
ホッパ内に貯留した中和塩の量を計測する装置として、ホッパの重量を計測する計測装置を備えたことを特徴とする、ＣＯ２化学吸収システムの中和塩抜き出し装置。
【請求項１４】
請求項１２に記載のＣＯ２化学吸収システムの中和塩抜き出し装置において、
ホッパ内に貯留した中和塩の量を計測する装置として、ホッパ側面に対面して透明窓を設置し、透明窓を通過する光をそれぞれ発する高さの異なる位置に配置された複数の発光器を備え、前記複数の発光器から発光して透明窓を通過した光をそれぞれ受光する高さの異なる位置に配置された複数の受光器を備える光学式の計測装置を備えた、ことを特徴とする、ＣＯ２化学吸収システムの中和塩抜き出し装置。
【発明の詳細な説明】
【技術分野】
【０００１】
本発明は、燃焼排ガスからＣＯ２を回収するＣＯ２化学吸収システムに係り、特に燃焼排ガスからＣＯ２を回収するＣＯ２化学吸収システムの中和塩抜き出し装置に関する。
【背景技術】
【０００２】
地球温暖化の原因となる二酸化炭素（ＣＯ２）の排出を低減するため、化石燃料を燃焼するプラントの排ガスからＣＯ２を除去する技術の開発が進められている。
【０００３】
そのような技術の一つとして、アルカリ性吸収液により排ガス中のＣＯ２を回収する化学吸収システムがある。
【０００４】
ＣＯ２を回収する化学吸収システムの基本システムは、例えばＷＯ２００９／０９１４３７公報に示されている。
【０００５】
ＷＯ２００９／０９１４３７公報に開示された技術では、ＣＯ２を含む排ガスは、吸収塔に送られ、吸収塔内で吸収液と接触することにより、ＣＯ２が吸収液に吸収される。
【０００６】
ＣＯ２を吸収した吸収液（リッチ吸収液）は、再生塔に送られ、再生塔内で吸収液からＣＯ２を放出して再生された吸収液（リーン液吸収）となって、再度ＣＯ２吸収に用いられる。放出されたＣＯ２は圧縮され、地下貯留設備などへ送られる。
【０００７】
吸収液再生のＣＯ２放出反応は吸熱反応であるため、再生塔に送られるリッチ吸収液、および再生塔内は、１００〜１２０℃に加熱する必要がある。リッチ吸収液は、再生塔から送られるリーン吸収液によって、熱交換機を通して加熱される。
【０００８】
また再生塔内部は、リボイラにおいて加熱用蒸気により吸収液を加熱し、発生した蒸気を再生塔内に供給して加熱される。
【０００９】
石炭、重油などを燃料とする燃焼装置から発生した排ガスを吸収塔へ送る場合、排ガス中に硫黄酸化物を代表とする酸性ガスが含まれ、ＣＯ２を吸収する吸収液がＣＯ２と同時に酸性ガスを吸収し熱安定性物質（以下ＨＳＳと表す）を生成する。
【００１０】
ＨＳＳは吸収液のＣＯ２吸収能力を低下させるため、随時ＨＳＳを除去する必要がある。ＨＳＳを除去し、吸収液を賦活させる装置をリクレーマと呼び、その構造は例えば特開２００８−２２１１６６号公報に示されている。
【００１１】
特開２００８−２２１１６６号公報に開示された技術では、リクレーマで蒸発缶内の吸収液にアルカリ剤を添加し、ＨＳＳの酸性イオンをアルカリ剤により中和することで、ＨＳＳを分解する。そして、ＨＳＳの分解によって賦活した吸収液は、加熱、蒸留により蒸気として蒸発缶から取り出す。また、中和により発生した塩は、廃棄物として蒸発缶の底から抜き出している。
【先行技術文献】
【特許文献】
【００１２】
【特許文献１】ＷＯ２００９／０９１４３７公報
【特許文献２】特開２００８−２２１１６６号公報
【発明の概要】
【発明が解決しようとする課題】
【００１３】
特開２００８−２２１１６６号公報に開示されたリクレーマでは、初めに蒸発缶内にＨＳＳを含む吸収液を貯留し、アルカリ剤で中和後、吸収液を蒸留し、蒸留できなかった残留液を最後にリクレーマから抜き出す構造となっている。
【００１４】
このように、吸収液を最初に貯留し、連続して供給しない方法を、以後バッチ式と呼ぶ。バッチ式のリクレーマは、最大でＣＯ２化学吸収システムに使用される全吸収液を貯留、処理する必要があるため装置が巨大となる。
【００１５】
また、ＣＯ２化学吸収システムの停止中にリクレーマを使用するため、酸性物質が多く含まれる排気ガスによりＨＳＳが大量に発生するＣＯ２化学吸収システムでは、リクレーマによる処理時間、すなわちＣＯ２化学吸収システムの停止時間が大きくなる。
【００１６】
あるいは、ＣＯ２化学吸収システムとリクレーマを同時に稼働する場合は、両者の保有液量を確保する必要があるため、液使用量が２倍必要になる課題がある。
【００１７】
一方、ＣＯ２化学吸収システム稼働中に吸収液の一部を連続してリクレーマに送り、賦活処理して再びＣＯ２化学吸収システムに戻す方法を、以下連続式と呼ぶ。
【００１８】
連続式は、ＣＯ２化学吸収システムの全液量を一時に処理しないので小型化でき、ＣＯ２化学吸収システム稼働中も吸収液の賦活を並行して実施できる利点がある。しかしながら、連続式リクレーマを運転するためには以下の課題が発生する。
【００１９】
ＨＳＳとアルカリ剤により発生する中和塩を連続的に安定して系外に抜き出す必要がある。これはリクレーマの蒸発缶内に中和塩が大量に蓄積し、伝熱管を覆い蒸留が不可能になる事を防ぐためである。
【００２０】
また中和塩は、高温の蒸発缶から安全に系外に抜き出す必要がある。蒸発缶は吸収液の蒸留のため１２０〜１５０℃に熱せられており、蒸発缶を再生塔と連結させた場合、０．５〜１．０ＭＰａＧに加圧されている。缶外に安全に中和塩を抜き出すためには、蒸発缶から大気条件に抜き出すためのシール機構が必要となる。
【００２１】
中和塩を系外に抜き出す場合には、吸収液の損失を最小化する必要がある。バッチ式、連続式を問わず、中和塩が吸収液に浮遊した状態で廃棄物として系外に抜き出せば、吸収液も排出されるので吸収液の損失が大きくなる。
【００２２】
本発明の目的は、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置を提供することにある。
【課題を解決するための手段】
【００２３】
上記課題を解決するために、本発明のＣＯ２化学吸収システムの中和塩抜き出し装置は、燃焼排ガスに含まれるＣＯ２を吸収液によりガス中から除去するＣＯ２化学吸収システムの中和塩抜き出し装置において、ＣＯ２化学吸収システムの再生塔から供給された酸性ガスにより劣化した吸収液にアルカリ剤を添加して中和し吸収液を賦活させる蒸発缶を有するリクレーマを備え、前記リクレーマの蒸発缶と接続され、この蒸発缶内の吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、前記ホッパ内に貯留した中和塩の量を計測する計測装置を備え、前記計測装置で検出した前記ホッパ内の中和塩量の計測値に基づいて前記ホッパ入口弁及びホッパ出口弁の開閉を操作する制御装置を備え、前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行うことを特徴とする。
【００２４】
また本発明のＣＯ２化学吸収システムの中和塩抜き出し装置は、燃焼排ガスに含まれるＣＯ２を吸収液によりガス中から除去するＣＯ２化学吸収システムの中和塩抜き出し装置において、ＣＯ２化学吸収システムの再生塔内の下部の吸収液を貯留するプール部に、酸性ガスにより劣化した吸収液にアルカリ剤を添加して中和しこの吸収液を賦活させるアルカリ剤供給系統を配設し、前記再生塔内の下部と接続され、この再生塔内のプール部に貯留された吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、前記ホッパ内に貯留した中和塩の量を計測する計測装置を備え、前記計測装置で検出した前記ホッパ内の中和塩量の計測値に基づいて前記ホッパ入口弁及びホッパ出口弁の開閉を操作する制御装置を備え、前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行う、ことを特徴とする。
【００２５】
また本発明のＣＯ２化学吸収システムの中和塩抜き出し装置は、
燃焼排ガスに含まれるＣＯ２を吸収液によりガス中から除去するＣＯ２化学吸収システムの中和塩抜き出し装置において、ＣＯ２化学吸収システムの再生塔を加熱する蒸気を発生するリボイラに、酸性ガスにより劣化した吸収液にアルカリ剤を添加して中和しこの吸収液を賦活させるアルカリ剤供給系統を配設し、前記リボイラと接続され、このリボイラに貯留された吸収液中に発生した中和塩を導いて貯留するホッパと、前記ホッパの上部と下部にそれぞれ設けられた連結管と、これらの上部及び下部連結管に設けられて前記ホッパへの中和塩の供給を操作するホッパ入口弁及び前記ホッパからの中和塩の排出を操作するホッパ出口弁と、前記ホッパ内に貯留した中和塩の量を計測する計測装置を備え、前記計測装置で検出した前記ホッパ内の中和塩量の計測値に基づいて前記ホッパ入口弁及びホッパ出口弁の開閉を操作する制御装置を備え、前記制御装置によって計測装置で計測したホッパ内の中和塩量が第１の既定の量を超えた場合にホッパ入口弁を閉弁してホッパ内への中和塩の貯留を停止すると共に、ホッパ出口弁を開弁してホッパから中和塩を抜き出し、前記計測装置で計測したホッパ内の中和塩量が第２の既定の量を下回った場合に、ホッパ出口弁を閉弁してホッパから中和塩の抜き出しを停止すると共に、ホッパ入口弁を開弁してホッパ内への中和塩の貯留を行うことを特徴とする。
【発明の効果】
【００２６】
本発明によれば、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置が実現できる。
【図面の簡単な説明】
【００２７】
【図１】本発明の第１実施例である中和塩抜き出し装置を備えたＣＯ２化学吸収システムの構成を示す系統図。
【図２】図１に示した第１実施例のＣＯ２化学吸収システムの中和塩抜き出し装置を示す構成図。
【図３Ａ】図１及び図２に示した第１実施例のＣＯ２化学吸収システムの中和塩抜き出し装置における運用方法を示しており、中和塩をホッパへ受け入れる状態を示した運用図。
【図３Ｂ】図１及び図２に示した第１実施例のＣＯ２化学吸収システムの中和塩抜き出し装置における運用方法を示しており、中和塩をホッパから排出する状態を示した運用図。
【図３Ｃ】図１及び図２に示した第１実施例のＣＯ２化学吸収システムの中和塩抜き出し装置における運用方法を示しており、中和塩の排出完了の状態を示した運用図。
【図３Ｄ】図１及び図２に示した第１実施例のＣＯ２化学吸収システムの中和塩抜き出し装置における運用方法を示しており、吸収液をホッパへ注入する状態を示した運用図。
【図４】本発明の第２実施例であるＣＯ２化学吸収システムの中和塩抜き出し装置における中和塩測定装置を示す部分図。
【図５】本発明の第３実施例であるＣＯ２化学吸収システムの中和塩抜き出し装置を示す構成図。
【図６】本明の第４実施例であるＣＯ２化学吸収システムの中和塩抜き出し装置を示す構成図。
【発明を実施するための形態】
【００２８】
本発明の実施例であるＣＯ２化学吸収システムの中和塩抜き出し装置について図面を用いて以下に説明する。
【実施例１】
【００２９】
本発明の第１実施例であるＣＯ２化学吸収システムの中和塩抜き出し装置について図１及び図２を用いて説明する。
【００３０】
図１は本発明の第１実施例である中和塩抜き出し装置を備えたＣＯ２化学吸収システムの概略構成を示すプラント系統図であり、図２は前記ＣＯ２化学吸収システムに適用される本実施例の中和塩抜き出し装置を示す概略構成図である。
【００３１】
図２に示した本実施例の中和塩抜き出し装置４０は、図１に示したＣＯ２化学吸収システムを構成するリクレーマ１Ａに付属して設置されている。
【００３２】
図１に示したように、本実施例の中和塩抜き出し装置４０を備えたＣＯ２化学吸収システムには、燃焼排ガス２４と吸収液を接触させて燃焼排ガス２４に含まれるＣＯ２を吸収液に吸収させる吸収塔２２と、前記吸収塔２２でＣＯ２を吸収したリッチ吸収液２６を加熱してＣＯ２が分離した吸収液であるリーン吸収液２３に再生する再生塔２９と、吸収液中に生成されたＨＳＳを除去して吸収液を賦活させる装置である蒸気缶１を備えたリクレーマ１Ａと、前記クレーマ１Ａから取り出した中和塩７を貯留するホッパ８を備えた中和塩抜き出し装置４０が備えられている。
【００３３】
そして、本実施例の中和塩抜き出し装置４０を備えたＣＯ２化学吸収システムでは、吸収塔２２でリーン吸収液２３と燃焼排ガス２４が接触し、燃焼排ガス２４中のＣＯ２がリーン吸収液２３に吸収される。このとき、燃焼排ガス２４に含まれる酸性ガスもリーン吸収液２３に吸収され、ＨＳＳ（熱安定性物質）が発生し、吸収液が劣化していく。
【００３４】
吸収塔２２でＣＯ２を吸収したリッチ吸収液２６は、再生塔２９に送られる。再生塔２９では、リボイラ３２でリッチ吸収液２６を再生蒸気３３で加熱して発生させたリボイラ蒸気３４により、このリッチ吸収液２６を加熱してリッチ吸収液２６に含まれたＣＯ２ガス３０を放出させてリッチ吸収液２６から分離し、リーン吸収液２３として再生させる。
【００３５】
ＨＳＳ（熱安定性物質）が発生して劣化した吸収液であるリーン吸収液２３を賦活するため、リーン吸収液２３の一部はポンプ３８によって、リクレーマ１Ａを構成する蒸発缶１に送られる。
【００３６】
リクレーマ１Ａで賦活された吸収液は、リクレーマ１Ａの蒸発缶１に供給される加熱蒸気４により加熱されて高温となり蒸発する。
【００３７】
蒸発缶１内で加熱蒸気４による加熱で蒸発した吸収液蒸気６は、蒸発缶１から吸収液蒸気供給系統６ａを通じて再生塔２９に戻され、再びＣＯ２化学吸収システムで使用される。
【００３８】
図２に本発明の第１実施例となるＣＯ２化学吸収システムに備えられる中和塩抜き出し装置４０を有したリクレーマ１Ａの構成を示した。
【００３９】
図２において、リクレーマ１Ａを構成する蒸発缶１には、ＣＯ２化学吸収システムの再生塔２９から、該再生塔２９で吸収液からＣＯ２ガス３０を放出させて再生したリーン吸収液２３と、外部からアルカリ剤３がそれぞれ供給される。
【００４０】
前記蒸発缶１内で、リーン吸収液２３中に含まれるＨＳＳとアルカリ剤３による中和反応によって中和塩７が発生し、中和塩７の濃度がリーン吸収液２３に対する飽和濃度を超えれば固体粒子として析出する。
【００４１】
蒸発缶１の底部には蒸発缶１内のリーン吸収液２３中に発生した中和塩７を貯留するため、中和塩抜き出し装置４０を構成するホッパ８がホッパ上部ベローズ管１３を介して前記蒸発缶１の底部と接続されている。
【００４２】
ホッパ８の上部となる前記ホッパ上部ベローズ管１３には、蒸発缶１からホッパ８への中和塩７の供給を調節するホッパ入口弁９が設置されている。
【００４３】
図２に示した本実施例の中和塩抜き出し装置４０では、ホッパ入口弁９は開の状態であり、蒸発缶１から中和塩７をホッパ８に受け入れている状態である。
【００４４】
ホッパ８中で蒸発缶１から供給された中和塩７は沈殿して下部に溜まっており、この中和塩７の上部は吸収液２３に満たされている。
【００４５】
ホッパ８の下部にはホッパ下部ベローズ管１４が接続されており、このホッパ下部ベローズ管１４に、ホッパ８から中和塩７を廃棄タンク１８に排出するホッパ出口弁１０が設置されている。
【００４６】
図２に示した本実施例の中和塩抜き出し装置４０では、ホッパ出口弁１０は閉の状態であり、ホッパ８に貯留する中和塩７の量は時間とともに増加していく。
【００４７】
ホッパ８内に貯留した中和塩７の量を計測する計測装置として、本実施例ではホッパ８の支持部に、ホッパ８と中和塩７とリーン吸収液２３等の内容物の合計重量の重量変化を計測するロードセル１２が設置されている。
【００４８】
このホッパ８内に貯留した中和塩７の量を計測する計測装置を構成するロードセル１２で計測した中和塩７とリーン吸収液２３等の内容物の合計重量の検出値は制御装置５０に入力し、前記制御装置５０で設定された上限の既定の重量値及び下限の既定の重量値との比較に基づいて、ホッパ８内への中和塩７の貯留とホッパ８から中和塩７の排出を行うホッパ入口弁１３及びホッパ出口弁１０の開閉を操作するように構成されている。
【００４９】
前記ホッパ８の上下は、ホッパ上部ベローズ管１３とホッパ下部べローズ管１４によって接続されており、ホッパ８が上下に可動できる構造となっている。
【００５０】
ホッパ８の下流側には、廃棄タンク１８が接続され、ホッパ下部べローズ管１４に設置したホッパ出口弁１０を開くことにより、ホッパ８内部に貯留した中和塩７を廃棄タンク１８に排出できる。
【００５１】
廃棄タンク１８は、交換フランジ１７によってホッパ８とホッパ下部べローズ管１４を介して気密接続されており、ホッパ８内の中和塩７は系外に漏出しない構造となっている。
【００５２】
前記ホッパ８には、ホッパ８内に残留したガスを系外に排出するガスベント系統１５と、外部からホッパ８に加圧ガスを供給するホッパ加圧ガス系統２１がそれぞれ配設されている。
【００５３】
このガスベント系統１５にはガスベント弁１６が、ホッパ加圧ガス系統２１にはホッパ加圧弁２０が夫々設置されて給排するガス及び加圧ガスの流量を調節するように構成されている。
【００５４】
また、ホッパ８中の高温の中和塩７を冷却するため、ホッパ８の外周側に冷却ジャケット１１を設置しても良い。
【００５５】
また、ホッパ８の冷却手段として、ホッパ８の内部に冷却管を配設（図示せず）する構造も取り得る。
【００５６】
図２に示した本実施例の中和塩抜き出し装置４０において、ホッパ８に中和塩７を受け入れる状態では、蒸発缶１内ではリーン吸収液２３を加熱中のため対流による液流動が起きており、蒸発缶１内で前記リーン吸収液２３中に発生した中和塩７が液中に散乱している状態もありうる。
【００５７】
しかしながら、蒸発缶１底部のホッパ８への接続管部では液流動が停止しているため、中和塩７は重力によりホッパ上部べローズ管１３を通じてホッパ８へ落下していく。
【００５８】
中和塩７の落下促進のため、蒸発缶１とホッパ上部べローズ管１３の接続部に管径の大きな管を使用することで、液の流動停止部の容積を大きくする構成も取りうる。あるいは、蒸発缶１の底部に、流動停止のための窪みをもった構造にすることも可能である。
【００５９】
図３Ａ乃至図３Ｄは、本実施例であるＣＯ２化学吸収システムの中和塩抜き出し装置４０の運用方法を示している。
【００６０】
中和塩抜き出し装置４０のホッパ８内部の状態は、図３Ａに示した「中和塩をホッパに受入」の状態である。即ち、制御装置５０の制御によってホッパ入口弁１３が開弁されてホッパ８内への中和塩７の受入れが行われると共に、ホッパ出口弁１０が閉弁されてホッパ８から中和塩７の排出が停止されている。
【００６１】
従って、ホッパ８の下部には蒸発缶１からホッパ上部べローズ管１３を通じてホッパ８の内部に受け入れた中和塩７が沈殿し、ホッパ８の上部はリーン吸収液２３が満たしている。前記中和塩７は、堆積した固体粒子の粒子間にリーン吸収液２３が浸透した、ペースト状となっている。
【００６２】
中和塩７の固体粒子はリーン吸収液２３よりも密度が大きいため、沈殿、貯留される中和塩７が増加するにつれて、ホッパ８と、このホッパ８に供給された中和塩７とリーン吸収液２３等の内容物の重量合計が増大していく。
【００６３】
ロードセル１２によって計測されたホッパ８の中和塩７とリーン吸収液２３との合計重量が既定の上限の値を超え、すなわち、ホッパ８内に貯留する中和塩７の上面が前記ホッパ８内に設定した高位の位置を超えたことを検知すると、ロードセル１２の検出値を入力した制御装置５０の制御によってホッパ８内への中和塩７の貯留とホッパ８から中和塩７の排出を行うホッパ入口弁１３及びホッパ出口弁１０の開閉が操作される。
【００６４】
即ち、制御装置５０の制御によってホッパ入口弁９が閉弁されてホッパ８内への中和塩７の受入れが停止されると共に、ホッパ出口弁１０が開弁されてホッパ８から中和塩７の排出を行う、図３Ｂに示した「中和塩をホッパから排出」の状態に移行する。
【００６５】
このとき、中和塩７は重力のみによっても落下するが、沈殿した中和塩７の中央部に貫通した穴が生じる「ラットホール」状態になると、中和塩７が残留したままリーン吸収液２３が排出される場合がある。
【００６６】
また、ホッパ出口弁１４の規模によっては、ホッパ８内に真空圧が生じて、ホッパ８内の内容物が落下しない場合もありうる。
【００６７】
これらを防ぐため、ホッパ８にホッパ加圧ガス系統２１を通じて外部から加圧ガスを供給し、中和塩７の落下を補助するとともに、中和塩７のペースト上面に均等に圧力をかけることでラットホールの発生を防止する。
【００６８】
ラットホール防止のために、ホッパ出口弁１０の大きさ、あるいは開度を適度に取り、中和塩７の落下速度を抑制する方法も取りうる。
【００６９】
ホッパ８に貯留した中和塩７をホッパ下部べローズ管１４を通じてホッパ８から廃棄タンク１８に排出することにより、ロードセル１２によって計測されるホッパ８の合計重量が既定の下限の値を下回り、すなわち、ホッパ８内に貯留する中和塩７の上面がホッパ８内に設定した低位の位置を下回ったことを検知すると、ロードセル１２の検出値を入力した制御装置５０の制御によってホッパ８から中和塩７の排出を停止するようにホッパ出口弁１０が閉められ、図３Ｃに示した「中和塩の排出終了」の状態となる。
【００７０】
即ち、制御装置５０の制御によってホッパ出口弁１０が閉弁されてホッパ８から中和塩７の排出を完了する、図３Ｃに示した「中和塩の排出終了」の状態に移行する。
【００７１】
ここまで、ホッパ８から排出されるのは中和塩７のペーストのみであり、中和塩７の上部を満たしたリーン吸収液２３はホッパ８から排出されていない。このため、廃棄物としてホッパ８から排出されるリーン吸収液２３は、中和塩７のペーストに含まれる最小量のみになる。
【００７２】
その後、制御装置５０の制御によってホッパ入口弁９を開いてホッパ８に吸収液を供給して、図３Ｄに示した「吸収液をホッパへ注入」の状態となる。このとき、ホッパ８にホッパ加圧ガス系統２１を通じて外部から供給されてホッパ８内に残留した加圧ガスは、ガスベント系統１５を通じてホッパ８から系外に排気され、ホッパ８内は底部の中和塩７を残して、リーン吸収液２３に満たされた状態となる。
【００７３】
そして、ホッパ入口弁９からリーン吸収液２３が供給され、ホッパ出口弁１０が閉められて、ホッパ８がリーン吸収液２３で満たれると、再度、図３Ａに示した「中和塩をホッパへ受入」の状態となり、ホッパ８内ではリーン吸収液２３中に中和塩７が沈殿していく状態となる。
【００７４】
以上に記載した構成と運用方法を実施すれば、リクレーマ１Ａの蒸発缶１から中和塩７を安定して連続的に、中和塩抜き出し装置４０のホッパ８に抜きだすことができる。
【００７５】
上記した本実施例のＣＯ２化学吸収システムの中和塩抜き出し装置４０によれば、上記した構成を備えることによって、以下の効果を得ることが可能となる。
【００７６】
吸収液を賦活する装置となるリクレーマ１Ａの底部にホッパ８を連結し、アルカリ剤３の供給による中和によってリーン吸収液２３中に発生した中和塩７は沈殿してホッパ８に落下して貯留される。
【００７７】
リクレーマ１Ａの内部が加熱対流により液が流動し中和塩７が撹拌された状態でも、リクレーマ１Ａとホッパ８を連結する管内では液流動が停止して中和塩７が沈殿する。
【００７８】
そこで、制御装置５０による制御操作によって、ホッパ８上部の仕切り弁９を開き、ホッパ８下部の仕切り弁１０を閉じた状態でリクレーマ１Ａを運転すると、ホッパ８内に貯留される中和塩７の量は時間とともに増加する。この時ホッパ８内は、中和塩７とリーン吸収液２３に満たされているが、中和塩７は固体としてホッパ下部に沈殿している。
【００７９】
ホッパ８内の中和塩７の量が増加し、第１の既定の量、例えば上限の中和塩貯留量であることを中和塩の量を計測する手段により検知すると、制御装置５０による制御操作によって、ホッパ８上部の仕切り弁９を閉じ、ホッパ８下部の仕切り弁１０を開くことで、ホッパ８内に沈殿した中和塩７を抜き出す。この機構により、高温高圧のリクレーマ１Ａからシールされた形式で安全に中和塩を抜き出せる。
【００８０】
中和塩７の抜き出しにより、ホッパ８内の中和塩７の量が減少し、第２の既定の量、例えば下限の中和塩量であることを中和塩の量を計測する手段により検知すると、制御装置５０による制御操作によって、ホッパ８下部の仕切り弁１０を閉じ、ホッパ８からの中和塩７の抜き出しを停止する。この機構により、ホッパ８から下部の中和塩７のみを取り出し、上部のリーン吸収液２３は抜き出されない。
【００８１】
したがって、廃棄されるリーン吸収液２３は、沈殿した中和塩７を粒子間に浸透していた液のみとなり、リーン吸収液２３の損失は最小となる。ふたたび、ホッパ８上部の仕切り弁９を開けば、ホッパ８内への中和塩７の供給及び沈殿が始まる。以上の機構により、中和塩７を安定して連続的に抜き出すことが可能となる。
【００８２】
上述した本実施例であるＣＯ２化学吸収システムの中和塩抜き出し装置に示した運用が示すとおり、中和塩７の抜き出しに蒸発缶１内の状態が関係しないため、バッチ式のみならず連続式においても中和塩抜き出しが可能となる。
【００８３】
また、ホッパ８によって蒸発缶１と廃棄タンク１８が仕切られており、高温、高圧の中和塩７を安全に取り出すことができる。
【００８４】
また、ホッパ８から中和塩７のペーストのみを抜き出すため、リーン吸収液２３の損失も最小とできる。
【００８５】
したがって、本実施例によれば、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置が実現できる。
【実施例２】
【００８６】
次に本発明の第２実施例であるＣＯ２化学吸収システムの中和塩抜き出し装置について図４を用いて説明する。
【００８７】
図４に示した本実施例のＣＯ２化学吸収システムの中和塩抜き出し装置は、図１〜図３に示した本発明の第１実施例であるＣＯ２化学吸収システムの中和塩抜き出し装置と基本的な構成は同じであるので、両者に共通する構成についての説明は省略し、相違する部分の構成について以下に説明する。
【００８８】
図４に示した本実施例であるＣＯ２化学吸収システムの中和塩抜き出し装置４０では、中和塩抜き出し装置４０を構成するホッパ８の周辺の装置構成を示している。
【００８９】
本実施例の中和塩抜き出し装置では、ホッパ８に貯留される中和塩量の計測装置として、図１〜図３に示した第１実施例のロードセル式の計測装置に替えて光学式計測装置を適用している。
【００９０】
即ち、本実施例の中和塩抜き出し装置でホッパ８に貯留される中和塩量を計測する光学式計測装置では、ホッパ８の側面に、対抗する形で透明窓４１がそれぞれ設置されている。
【００９１】
そして、ホッパ８の外部に、高位検出用の発光部４２と受光部４３、並びに、低位検出用の発光部４４と受光部４５、対としてそれぞれ設置されており、高位検出用の発光部４２と受光部４３を結ぶ光路、並びに、低位検出用の発光部４４と受光部４５を結ぶ光路は前記ホッパ８の透明窓３９を通過するように配設されている。
【００９２】
前記２対の発光部と受光部のうち、高位検出用の発光部４２と高位検出用の受光部４３の対は、ホッパ８内に貯留した中和塩７の量が既定の値１となる、すなわち、ホッパ８内の中和塩７の上面高さが高位となる位置を光路が通過するように設置される。
【００９３】
他の低位検出用の発光部４４と低位検出用の受光部４５の対は、ホッパ８内に貯留した中和塩７の量が既定の値２、すなわち、ホッパ８内の中和塩７の上面高さが低位となる位置を光路が通過するよう設置される。
【００９４】
そして前記高位検出用の受光部４３及び低位検出用の受光部４５の検出信号は制御装置５０に入力し、第１実施例の制御装置５０の場合と同様に、前記制御装置５０で設定された高位となる既定の値１及び低位となる既定の値２との比較に基づいて、ホッパ８内への中和塩７の貯留とホッパ８から中和塩７の排出を行うホッパ入口弁１３及びホッパ出口弁１０の開閉を操作するように構成されている。
【００９５】
本実施例であるＣＯ２化学吸収システムの中和塩抜き出し装置４０の運用方法を、図３Ａ乃至図３Ｄを引用して説明すると次の通りとなる。
【００９６】
ホッパ８に中和塩７を受入中の状態では、中和塩量を検知する高位検知用発光部４２から発した光は、高位検知用受光部４３で検知されている。即ち、本実施例であるＣＯ２化学吸収システムの中和塩抜き出し装置４０の運用方法は、図３Ａに示した「中和塩をホッパ受入」の状態である。
【００９７】
この場合、制御装置５０の制御によってホッパ入口弁９が開弁されてホッパ８内への中和塩７の受入れが行われると共に、ホッパ出口弁１０が閉弁されてホッパ８から中和塩７の排出が停止されている。
【００９８】
次に、ホッパ８に受入中の中和塩７の中和塩量が設定した高位の値を超えると、光路が遮られて高位検知用受光部４３は高位検知用発光部４２から発した光を検知しなくなる。
【００９９】
この場合、本実施例の中和塩抜き出し装置４０の運用方法では、制御装置５０の制御によってホッパ入口弁９が閉弁されてホッパ８内への中和塩７の受入れが停止されると共に、ホッパ出口弁１０が開弁されてホッパ８から中和塩７の排出を行う、図３Ｂに示した「中和塩をホッパから排出」の状態に移行する。
【０１００】
中和塩７をホッパ８から排出することにより、ホッパ８内の中和塩７の量が減少し、中和塩量が設定した低位の値を下回ると、それまで光路が遮られていた中和塩量を検知する低位検知用発光部４４の光が低位検知用受光部４５によって検知される。
【０１０１】
この場合、本実施例の中和塩抜き出し装置４０の運用方法では、図３Ｂに示した「中和塩をホッパから排出」の状態から、制御装置５０の制御によってホッパ出口弁１０を閉弁してホッパ８から中和塩７の排出を完了する、図３Ｃに示した「中和塩の排出終了」の状態に移行する。
【０１０２】
その後、第１実施例のＣＯ２化学吸収システムの中和塩抜き出し装置４０の運用方法と同様に、本実施例の中和塩抜き出し装置４０の運用方法においても、図３Ｃに示した「中和塩の排出終了」の状態から、制御装置５０の制御によってホッパ入口弁９を開いてホッパ８に吸収液を供給して、図３Ｄに示した「吸収液をホッパへ受入」の状態に移行する。このとき、ホッパ８にホッパ加圧ガス系統２１を通じて外部から供給された加圧ガスは、ガスベント系統１５を通じてホッパ８から系外に排気され、ホッパ８内は底部の中和塩７を残して、リーン吸収液２３に満たされた状態となる。
【０１０３】
そして、ホッパ入口弁９からリーン吸収液２３が供給され、ホッパ出口弁１０が閉められて、ホッパ８がリーン吸収液２３で満たれると、再度、図３Ａに示した「中和塩をホッパへ受入」の状態となり、リーン吸収液２３中に中和塩７が沈殿していく状態となる。
【０１０４】
したがって、本実施例によれば、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置が実現できる。
【実施例３】
【０１０５】
次に本発明の第３実施例であるＣＯ２化学吸収システムの中和塩抜き出し装置について図５を用いて説明する。
【０１０６】
図５に示した本実施例のＣＯ２化学吸収システムの中和塩抜き出し装置は、図１〜図３に示した本発明の第１実施例であるＣＯ２化学吸収システムの中和塩抜き出し装置と基本的な構成は同じであるので、両者に共通する構成についての説明は省略し、相違する部分の構成について以下に説明する。
【０１０７】
図５に示した本実施例であるＣＯ２化学吸収システムの中和塩抜き出し装置４０では、中和塩抜き出し装置４０を、ＣＯ２化学吸収システムを構成する再生塔２９の下部に設置した構成を示している。
【０１０８】
再生塔２９の底部の吸収液を貯留するプール部２９ａに、アルカリ剤３を供給するアルカリ剤供給系統３ａを設置し、ＨＳＳを中和させ、中和塩７を発生させることにより、リーン吸収液２３を賦活する。
【０１０９】
再生塔２９の底部の吸収液プール部２９ａでは、リクレーマ１Ａと異なり加熱部がないため、対流による激しい液の流動は起こらず、中和塩７が沈殿しやすい。
【０１１０】
液位を適切に制御し、吸収塔２９へリーン吸収液２３を送る取り出し部の高さを適切に設置することで、中和塩７を底部に抜き出す構成を取りうる。
【０１１１】
本実施例のＣＯ２化学吸収システムの中和塩抜き出し装置４０においても、中和塩抜き出し装置４０の運用方法は、図３Ａ乃至図３Ｄに示した第１実施例又は第２実施例のＣＯ２化学吸収システムの中和塩抜き出し装置４０の運用方法が適用されるので、ここでの説明は省略する。
【０１１２】
また、本実施例のＣＯ２化学吸収システムの中和塩抜き出し装置４０においても、ホッパ８に貯留される中和塩量の計測装置として、図１〜図３に示した第１実施例のロードセル式の計測装置、及び図４に示した第２実施例の光学式計測装置の何れでも適用可能であるので、ここでの説明は省略する。
【０１１３】
本実施例では、吸収液賦活のためのリクレーマ装置を不要としたＣＯ２化学吸収システムの中和塩抜き出し装置の構成であるので、装置の構成がコンパクトとなり、リクレーマに用いる加熱蒸気も不要にできる。
【０１１４】
尚、本実施例の他の形態として、前記した中和塩抜き出し装置を、吸収塔の底部に備えた構成も可能である。
【０１１５】
したがって、本実施例によれば、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置が実現できる。
【実施例４】
【０１１６】
次に本発明の第４実施例であるＣＯ２化学吸収システムの中和塩抜き出し装置について図６を用いて説明する。
【０１１７】
図６に示した本実施例のＣＯ２化学吸収システムの中和塩抜き出し装置は、図１〜図３に示した本発明の第１実施例であるＣＯ２化学吸収システムの中和塩抜き出し装置と基本的な構成は同じであるので、両者に共通する構成についての説明は省略し、相違する部分の構成について以下に説明する。
【０１１８】
図６に示した本実施例であるＣＯ２化学吸収システムの中和塩抜き出し装置では、中和塩抜き出し装置４０をリボイラ３２の下部に設置している。
【０１１９】
リボイラ３２に外部からアルカリ剤３を供給するアルカリ剤供給系統３ａを設置して、このアルカリ剤３の供給によって前記リボイラ３２内に供給されたリーン吸収液２３に発生するＨＳＳを中和させて中和塩７を生じさせることにより、リボイラ３２内のリーン吸収液２３を賦活する。
【０１２０】
リボイラ３２には内部を区画する堰１Ｂを設けてあり、リボイラ３２内でこの堰１Ｂを越えてオーバーフローし、中和塩７と分離したリーン吸収液２３が前記堰１Ｂで区分されたリボイラ３２内の区画に流入する。
【０１２１】
そして堰１Ｂを越えてオーバーフローし、リボイラ３２内の前記区画に流入したリーン吸収液２３は、前記リボイラ３２内の前記区画から再生塔２９に供給される構成となっている。
【０１２２】
リボイラ３２内のリーン吸収液２３に生じた中和塩７は、リボイラ３２の底部に接続されたホッパ上部べローズ管１３を通じてホッパ８に取り出すことで、リボイラ３２内で中和塩７と分離したリーン吸収液２３を再生塔２９へ戻す構造となる。
【０１２３】
本実施例のＣＯ２化学吸収システムの中和塩抜き出し装置４０においても、中和塩抜き出し装置４０の運用方法は、図３Ａ乃至図３Ｄに示した第１実施例又は第２実施例のＣＯ２化学吸収システムの中和塩抜き出し装置４０の運用方法が適用されるので、ここでの説明は省略する。
【０１２４】
また、本実施例のＣＯ２化学吸収システムの中和塩抜き出し装置４０においても、ホッパ８に貯留される中和塩量の計測装置として、図１〜図３に示した第１実施例のロードセル式の計測装置、及び図４に示した第２実施例の光学式計測装置の何れでも適用可能であるので、ここでの説明は省略する。
【０１２５】
本実施例では、吸収液賦活のためのリクレーマ装置を不要としたＣＯ２化学吸収システムの中和塩抜き出し装置の構成であるので、装置の構成がコンパクトとなり、リクレーマに用いる加熱蒸気も不要にできる。
【０１２６】
したがって、本実施例によれば、ＣＯ２化学吸収システムで吸収液を賦活処理する場合に、中和塩を安定して連続的に系外に抜きだすと共に、吸収液の損失を低減することが可能なＣＯ２化学吸収システムの中和塩抜き出し装置が実現できる。
【符号の説明】
【０１２７】
１：蒸発缶、１Ａ：リクレーマ、１Ｂ：堰、３：アルカリ剤、３ａ：アルカリ剤供給系統、４：加熱蒸気、５：加熱蒸気ドレン、６：吸収液蒸気、７：中和塩、８：中和塩ホッパ、９：ホッパ入口弁、１０：ホッパ出口弁、１１：冷却ジャケット、１２：ロードセル、１３：ホッパ上部ベローズ管、１４：ホッパ下部ベローズ管、１５：ガスベント系統、１６：ガスベント弁、１７：交換フランジ、１８：廃棄タンク、１９：廃棄タンクエアベント、２０：ホッパ加圧弁、２１：ホッパ加圧ガス系統、２２：吸収塔、２３：リーン吸収液、２４：燃焼排ガス、２５：ＣＯ２除去済みガス、２６：リッチ吸収液、２７：送液ポンプ、２８：液−液熱交換器、２９：再生塔、３０：ＣＯ２ガス、３１：再生吸収液、３２：リボイラ、３３：再生蒸気、３４：リボイラ蒸気、３５：送液ポンプ、３６：冷却器、３７：冷却水、３８：リクレーマ送液ポンプ、４１：透明窓、４２：中和塩量高位検知用発光部、４３：中和塩量高位検知用受光部、４４：中和塩量低位検知用発光部、４５：中和塩量低位検知用受光部、５０：制御装置。
【図１】
2014012242.tif 000003
【図２】
2014012242.tif 000004
【図３Ａ】
2014012242.tif 000005
【図３Ｂ】
2014012242.tif 000006
【図３Ｃ】
2014012242.tif 000007
【図３Ｄ】
2014012242.tif 000008
【図４】
2014012242.tif 000009
【図５】
2014012242.tif 000010
【図６】
2014012242.tif 000011